(57)【要約】【課題】例えば、上位監視装置と遠隔監視装置からなる遠隔装置制御システムにおいて、電源電圧監視方式で遠隔監視装置の電源断を検出し、上位監視装置に通知を行うには、大容量のバックアップコンデンサが必要であった。【解決手段】本発明に係る電源断検出回路では、コネクタ７内のスイッチ７４が電源ジャック４３の挿入／未挿入で切り替わり、電源断検出部６が当該スイッチ７４の状態を認識して電源断を検出すると、電源断通知部８１がバックアップ用コンデンサ５に保持された電力により電源断通知信号を出力する構成となっている。本電源断検出回路によると、電源ジャック４３の抜去により、瞬時にスイッチ７４が切り替わるため、電源電圧監視方式に比べ、早く電源断を検出できる。従って、バックアップ用コンデンサ５の容量を小さくできる。【選択図】図１
2007129840.tif 000002
【特許請求の範囲】
【請求項１】
外部から電源を伝達する差込み接続器が、差し込まれているか否かで切り替わるスイッチを有するコネクタと、
前記電源電圧を保持するバックアップ用コンデンサと、
前記スイッチの状態を認識することで、電源断を検出する電源断検出部と、
前記電源断検出部が電源断を検出したときに、前記バックアップ用コンデンサに蓄えられた電力により電源断通知信号を出力する通知部と
を備える電源断検出回路。
【請求項２】
外部から供給された電源電圧を保持するバックアップ用コンデンサと、
前記バックアップ用コンデンサへ前記外部からの電源を供給する経路上に、接続された電流検出抵抗と、
前記電流検出抵抗を流れる電流値を監視する電流監視部と、
前記電流値が予め定められた一定値以下になると、電源断を検出する電源断検出部と、
前記電源断検出部が電源断を検出したときに、前記バックアップ用コンデンサに蓄えられた電力により電源断通知信号を出力する通知部と
を備える電源断検出回路。  
【請求項３】
ネットワークと接続し、前記ネットワークを構成するネットワーク構成装置であって、
請求項１または請求項２記載の電源断検出回路を備えたネットワーク構成装置。
【請求項４】
請求項３記載のネットワーク構成装置と、
前記ネットワーク構成装置と前記ネットワークを介して接続された上位端末装置と
を備え、
前記ネットワーク構成装置が電源断となった場合に、前記電源断検出回路により前記上位端末装置に電源断通知信号を出力するネットワークシステム。
【請求項５】
前記ネットワーク構成装置は光アクセス宅内装置である請求項４記載のネットワークシステム。 
【請求項６】
前記ネットワークシステムは遠隔監視システムである請求項４記載のネットワークシステム。
【発明の詳細な説明】
【技術分野】
【０００１】
本発明は、電源断検出回路に関し、特に、電源断時にバックアップ用コンデンサに蓄えられた電力を用いて、電源断通知信号を出力する技術に関する。
【背景技術】
【０００２】
ネットワークの普及に伴い、身近なさまざまな場所でネットワークシステムが構築されて利用されている。しかしながら、障害の発生しないネットワークシステムの構築は不可能であり、これらのネットワークシステムは、システム管理者によって適切に管理される必要がある。すなわち、稼働しているネットワークシステムを常に監視し、問題が発生した場合には適切な処置を施すというネットワークシステム管理がネットワークシステム運用の基本となる。
【０００３】
このようなネットワークシステム管理における監視ポイントの一つに、ネットワークを構成する機器の電源状態が挙げられる。当該機器に電源断が発生した場合、電源断を検出し、上位端末機器に通知してシステム管理者に当該情報を伝えることで、適切な処置を施し、障害を未然に防止したり、障害が発生した際の原因を特定する。
【０００４】
例えば、遠隔監視装置と上位監視装置を有する遠隔監視システムにおいて、遠隔監視装置に電源断が発生した場合に、上位監視装置に当該電源断情報を通知する技術が特許文献１に記載されている。遠隔監視装置に電源断が発生すると、電源断監視回路７が電源断を検出し、バックアップ用コンデンサ１０に蓄えられた電力を用いて、電源断通知を上位監視装置１に通信している。ここで、電源断検出方法として、一般的に、電源電圧を監視し、当該電源電圧が予め定められた一定の電圧以下になると電源断が発生したと判断する方法が用いられている。
【０００５】
【特許文献１】特開平５−２１９５６４号公報
【発明の開示】
【発明が解決しようとする課題】
【０００６】
しかしながら、電源電圧を監視し、当該電源電圧が予め定められた一定値以下になると、電源断が発生したと判断し、上位監視装置へ電源断通知を行う構成では、一定の電圧以下になるまで電源断が発生したと判断できない。そのため、電源断後の上位監視装置への通信に必要な電源電圧を確保するバックアップ用コンデンサが大容量になるという問題があった。
【０００７】
そこで、本発明は上記のような問題点を解消するためになされたもので、バックアップ用コンデンサの容量が小さい電源断検出回路およびネットワーク構成装置ならびにネットワークシステムを提供することを目的とする。
【課題を解決するための手段】
【０００８】
本発明に係る請求項１記載の電源断検出回路は、外部からの電源を伝達する差込み接続器が、差し込まれているか否かで切り替わるスイッチを有するコネクタと、前記電源電圧を保持するバックアップ用コンデンサと、前記スイッチの状態を認識することで、電源断を検出する電源断検出部と、前記電源断検出部が電源断を検出したときに、前記バックアップ用コンデンサに蓄えられた電力により電源断通知信号を出力する通知部とを備える。
【０００９】
本発明に係る請求項２記載の電源断検出回路は、外部から供給された電源電圧を保持するバックアップ用コンデンサと、前記バックアップ用コンデンサへ前記電源を供給する経路上に、接続された電流検出抵抗と、前記電流検出抵抗を流れる電流値を監視する電流監視部と、前記電流値が予め定められた一定値以下になると、電源断を検出する電源断検出部と、前記電源断検出部が電源断を検出したときに、前記バックアップ用コンデンサに蓄えられた電力により電源断通知信号を出力する通知部とを備える。
【発明の効果】
【００１０】
本発明に係る請求項１記載の電源断検出回路は、外部からの電源を伝達する差込み接続器が、差し込まれているか否かで切り替わるスイッチを有するコネクタと、前記電源電圧を保持するバックアップ用コンデンサと、前記スイッチの状態を認識することで、電源断を検出する電源断検出部と、前記電源断検出部が電源断を検出したときに、前記バックアップ用コンデンサに蓄えられた電力により電源断通知信号を出力する通知部とを備えるので、電源電圧を監視して前記電源断を検出する場合に比べて、より早く前記電源断を検出でき、バックアップ用コンデンサの容量を小さくできる。
【００１１】
本発明に係る請求項２記載の電源検出回路は、外部から供給された電源電圧を保持するバックアップ用コンデンサと、前記バックアップ用コンデンサへ前記電源を供給する経路上に、接続された電流検出抵抗と、前記電流検出抵抗を流れる電流値を監視する電流監視部と、前記電流値が予め定められた一定値以下になると、電源断を検出する電源断検出部と、前記電源断検出部が電源断を検出したときに、前記バックアップ用コンデンサに蓄えられた電力により電源断通知信号を出力する通知部とを備えるので、電源電圧を監視して前記電源断を検出する場合に比べて、より早く前記電源断を検出でき、バックアップ用コンデンサの容量を小さくできる。
【発明を実施するための最良の形態】
【００１２】
（実施の形態１）
本発明に係る実施の形態１の電源断検出回路を用いたネットワークシステムの一例として、光ネットワークシステムのブロック図を図１に示す。図１に示す光ネットワークシステムは、基地局側の上位端末装置３と、加入者側の下位端末装置２と、電源コード４が差し込まれた光アクセス宅内装置１（ネットワーク構成装置に相当）とで構成されている。下位端末装置２は光アクセス宅内装置１と、例えばＬＡＮ回線で接続されており、上位端末装置３は光アクセス宅内装置１と光回線網で接続されている。そして、下位端末装置２は光アクセス宅内装置１を介して上位端末装置３と双方向に通信する。
【００１３】
光アクセス宅内装置１は、本実施の形態１に係る電源断検出回路１１と、下位端末装置２および上位端末装置３の通信を仲介する信号処理部８とを備えている。以下、さらに詳しく光アクセス宅内装置１の構成を述べる。
【００１４】
電源断検出回路１１は、電源ジャック４３（差し込み接続器に相当）が差し込まれるＤＣコネクタ７と、電源電圧を保持するバックアップ用コンデンサ５と、電源断を検出する電源断検出部６と、電源断検出部６が電源断を検出したときに電源断通知信号を上位端末装置３に出力する電源断通知部８１とを備えている。なお、電源断通知部８１は信号処理部８の機能に含められているものとし、以下の説明では信号処理部８が電源断通知部８１を代表する。
【００１５】
また、電源コード４はＡＣコンセント４１と、ＡＣアダプタ４２と、電源ジャック４３により構成されており、商用交流電源を直流電源に変換して光アクセス宅内装置１に供給する。
【００１６】
また、ＤＣコネクタ７は、１ピン７１と、２ピン７２と、一方が接地された３ピン７３を有しており、２ピン７２および３ピン７３がスイッチ７４を構成している。スイッチ７４の動作を説明すると、電源ジャック４３がＤＣコネクタ７に差し込まれると、３ピン７３が湾曲して２ピン７２と３ピン７３が開放し、電源ジャック４３がＤＣコネクタ７から抜去されると、２ピン７２と３ピン７３が短絡する。すなわち、スイッチ７４は電源ジャック４３が差し込まれているか否かで切り替わる構成となっている。
【００１７】
また、電源断検出部６は、１ピン７１と接続された第１ローアクティブ入力端子および２ピンと接続された第２ローアクティブ入力端子を有するＯＲ回路６１と、第１および第２ローアクティブ入力端子間に接続されたプルアップ抵抗６２とで構成されている。電源断検出部６は、後述するように、スイッチ７４の状態を認識して電源断を検出し、当該電源断検出を信号処理部８に出力する。
【００１８】
続いて、光アクセス宅内装置１の動作を電源入力時と電源断時に区分して説明する。
【００１９】
電源ジャック４３がＤＣコネクタ７に差し込まれ光アクセス宅内装置１に電源が供給されている場合、１ピン７１を経由して、バックアップ用コンデンサ５に電源電圧が充電されるとともに、電源電圧が信号処理部８に供給されて、下位端末装置２および上位端末装置３間の通信を仲介する。このとき、２ピン７２および３ピン７３は開放しているため、プルアップ抵抗６２を介したＯＲ回路６１が有する第１および第２ローアクティブ入力端子はともに、高電位が入力される。すなわち、電源断検出部６は信号処理部８に電源断検出を出力しない。
【００２０】
一方、電源断が発生するケースとしては、ＡＣアダプタ４２がＡＣコンセント４１側からコードが抜去される場合またはＤＣコネクタ７側から抜去される場合の２通りがある。
【００２１】
ＡＣコンセント４１が商用電源コンセント（図示せず）から抜去された場合、ＡＣアダプタ４２内に大容量のコンデンサ（図示せず）を保持しているため、電源電圧は徐々に低下しする。当該電源電圧が予め定められた一定値を下回ると、ＯＲ回路６１は、第１ローアクティブ入力端子に低電位が入力されたと判断し、高電位を出力する。
【００２２】
すなわち、電源断検出部６は信号処理部８に電源断検出を出力し、当該電源断検出を受け取った信号処理部８は、ＡＣアダプタ４２内の大容量コンデンサ（図示せず）に保持された電力を用いて上位端末装置３に電源断通知信号を出力する。この場合、バックアップ用コンデンサ５に保持された電力を用いることなく、電源断を通知することができるため、バックアップ用コンデンサ５は大容量を必要としない。
【００２３】
なお、このＡＣアダプタ４２内の大容量コンデンサ（図示せず）は、元々ＡＣアダプタ４２が持っている、例えば１００ＶＡＣ入力から１２ＶＤＣ出力を実現させるために必要な物であり、電源断通知の目的で大容量を保持しているわけではない。
【００２４】
次に、電源ジャック４３がＤＣコネクタ７から抜去された場合、２ピン７２および３ピン７３が瞬時に短絡し、ＯＲ回路６１の第２ローアクティブ入力端子には低電位が入力され、ＯＲ回路６１は高電位を出力する。つまり、電源断検出部６は、スイッチ７４の状態を認識して電源断を検出し、当該電源断検出を信号処理部８に出力する。電源断検出を受け取った信号処理部８は、バックアップ用コンデンサ５に保持された電力を用いて、上位端末装置３に電源断通知信号を出力する。
【００２５】
次に、本実施の形態１に係る電源断検出回路が、電源電圧を監視し、当該電源電圧が予め定められた一定値以下になると、電源断を検出する場合に比べて、より早く電源断を検出できる理由について述べる。電源電圧を監視する方式では、電源断時にバックアップ用コンデンサ５に蓄えられた電圧が放電するため、電源電圧は瞬時に降下せず、電源断検出に時間がかかる。一方、本実施の形態１においては、接地された３ピン７３が２ピン７２と短絡することで、ＯＲ回路６１の第２ローアクティブ入力端子の電位は瞬時に降下する。すなわち、電源電圧が予め定められた一定電圧以下となると電源断を検出する場合に比べて、より早く電源断を検出することができる。従って、バックアップ用コンデンサ５の容量を小さくすることができる。
【００２６】
なお、本実施の形態１に係る電源断検出回路を光ネットワークシステムを用いて説明したが、これに限定されない。例えば、遠隔監視システムにも適用できる。この場合、カメラなどの監視ユニットが下位端末装置２、本実施の形態１に係る電源断検出回路を備えた遠隔監視装置が光アクセス宅内装置１、監視センター側の監視用ＰＣなどの上位監視装置が上位端末装置３に相当する。
【００２７】
すなわち、ネットワークと接続され、電源断を通知するあらゆるネットワーク構成装置に適用することができる。
【００２８】
（実施の形態２）
本実施の形態２に係る電源断検出回路を用いたネットワークシステムの一例として、光ネットワークシステムのブロック図を図２に示す。なお、同一符号は同一または相当部分を指すものとし、重畳する説明は省略する。
【００２９】
光アクセス宅内装置１（ネットワーク構成装置に相当）は、本実施の形態２に係る電源断検出回路１１と、下位端末装置２および上位端末装置３の通信を仲介する信号処理部８と、電源ジャック４３が差し込まれるＤＣコネクタ７とを備えている。以下、さらに詳しく光アクセス宅内装置１の構成を述べる。
【００３０】
電源断検出回路１１は、電源電圧を保持するバックアップ用コンデンサ５と、バックアップ用コンデンサ５へ電源を供給する経路上に接続された電流検出抵抗１０と、電流検出抵抗１０を流れる電流値を監視する電流監視部９と、当該電流値が予め定められた一定値以下になると電源断を検出する電源断検出部６と、電源断検出部６が電源断を検出したときに上位端末装置３へ電源断通知信号を出力する電源断通知部８１とを備えている。なお、電源断通知部８１は信号処理部８の機能に含まれているものとし、以下の説明では信号処理部８が電源断通知部８１を代表する。
【００３１】
また、ＤＣコネクタ７は、１ピン７１と、一方が開放された２ピン７２と、一方が接地された３ピン７３により構成されている。なお、２ピン７２および３ピン７３により形成されたスイッチは、本実施の形態２に係る発明の本質に必要な機能を果たすわけではない。
【００３２】
また、電源断検出部６は、電流検出抵抗１０およびバックアップ用コンデンサ間で接続された第１ローアクティブ入力端子と電流監視部９と接続された第２ローアクティブ入力端子とを有するＯＲ回路６１により構成されている。
【００３３】
続いて、光アクセス宅内装置１の動作を、電源入力時と電源断時に区分して説明する。電源ジャック４３がＤＣコネクタ７に差し込まれ光アクセス宅内装置１に電源が供給されている場合、バックアップ用コンデンサ５に電源電圧が充電されるとともに、信号処理部８に電源が供給され、下位端末装置２および上位端末装置３間の通信を仲介する。このとき、電流監視部９は電流検出抵抗１０に流れる十分な電流値を確認するので、電源断検出部６は信号処理部８に電源断検出を出力しない。
【００３４】
一方、電源断が発生するケースとしては、ＡＣアダプタ４２がＡＣコンセント４１側からコードが抜去される場合またはＤＣコネクタ７側から抜去される場合の２通りがある。
【００３５】
ＡＣコンセント４１が商用電源コンセント（図示せず）から抜去された場合、ＡＣアダプタ４２内に大容量のコンデンサ（図示せず）を保持しているため、電源電圧は徐々に低下しする。当該電源電圧が予め定められた一定値を下回ると、ＯＲ回路６１は、第１ローアクティブ入力端子に低電位が入力されたと判断し、高電位を出力する。
【００３６】
すなわち、電源断検出部６は信号処理部８に電源断検出を出力し、当該電源断検出を受け取った信号処理部８は、ＡＣアダプタ４２内の大容量コンデンサ（図示せず）に保持された電力を用いて上位端末装置３に電源断通知信号を出力する。この場合、バックアップ用コンデンサ５に保持された電力を用いることなく、電源断を通知することができるため、バックアップ用コンデンサは大容量を必要としない。
【００３７】
なお、このＡＣアダプタ４２内の大容量コンデンサ（図示せず）は、元々ＡＣアダプタ４２が持っている、例えば１００ＶＡＣ入力から１２ＶＤＣ出力を実現させるために必要な物であり、電源断通知の目的で大容量を保持しているわけではない。
【００３８】
次に、電源ジャック４３がＤＣコネクタ７から抜去された場合、バックアップ用コンデンサ５の充電経路に接続された電流検出抵抗１０を流れる電流値が瞬時に降下する。電流監視部９が当該電流値を監視しており予め定められた一定値以下になると電源断検出部６に低電位を出力して電流無しを伝える。ＯＲ回路６１は第２ローアクティブ入力端子に低電位が入力されて高電位を出力する。すなわち、電源断検出部６は、電流監視部９から電流無しを受け取り、信号処理部８に電源断検出を出力する。電源断検出を受け取った信号処理部８は、バックアップ用コンデンサ５に保持された電力を用いて、上位端末装置３に電源断通信信号を出力する。
【００３９】
次に、本実施の形態２に係る電源断検出回路が、電源電圧を監視し電源断を検出する場合に比べて、より早く電源断を検出できる理由について述べる。電源電圧を監視する方式では、電源断時にバックアップ用コンデンサ５に蓄えられた電圧が放電するため、電源電圧は瞬時に降下せず、電源断検出に時間がかかる。一方、本実施の形態２においては、電流検出抵抗１０がバックアップ用コンデンサ５の放電経路に接続されていないため、電流検出抵抗１０を流れる電流値は瞬時に降下する。すなわち、電源電圧が予め定められた一定電圧以下となると電源断を検出する場合に比べて、より早く電源断を検出することができる。従って、バックアップ用コンデンサ５の容量を小さくすることができる。
【００４０】
なお、ＡＣコンセント４１または電源ジャック４３が抜去されて電源断が生じる場合について説明したが、これに限らない。例えば、電源コード４で断線が発生した場合でも上位端末装置３へ電源断通知信号を出力できることは言うまでもない。
【００４１】
なお、本実施の形態２に係る電源断検出回路を光ネットワークシステムを用いて説明したが、これに限定されない。例えば、遠隔監視システムにも適用できる。この場合、カメラなどの監視ユニットが下位端末装置２、本実施の形態２に係る電源断検出回路を備えた遠隔監視装置が光アクセス宅内装置１、監視センター側の監視用ＰＣなどの上位監視装置が上位端末装置３に相当する。
【００４２】
すなわち、ネットワークと接続され、電源断を通知するあらゆるネットワーク構成装置に適用することができる。
【図面の簡単な説明】
【００４３】
【図１】実施の形態１に係る電源断検出回路を用いた光ネットワークシステムのブロック図である。
【図２】実施の形態２に係る電源断検出回路を用いた光ネットワークシステムのブロック図である。
【符号の説明】
【００４４】
１  光アクセス宅内装置、３  上位端末装置、４３  電源ジャック、５  バックアップ用コンデンサ、６  電源断検出部、７  ＤＣコネクタ、７４  スイッチ、８１  電源断通知部、９  電流監視部、１０  電流検出抵抗、１１  電源断検出回路。
【図１】
2007129840.tif 000003
【図２】
2007129840.tif 000004